(57)【特許請求の範囲】
【請求項１】
シート材が袋状に形成されてなり、物品を収容する内部空間を備える本体部を備え、該本体部における一方向の一端部に内部空間と連通する開口部が形成されるように構成された包装袋であって、
前記本体部は、対向するように形成される一対の対向部を備えると共に、一方の対向部の外面に形成される第一領域と、他方の対向部の外面に形成される第二領域とを備えており、
第一領域は、本体部を形成するシート材に再封部材が貼り付けられることで周囲の領域よりも厚みが厚くなるように構成されており、
第二領域は、前記一方向における第一領域よりも本体部の他端部側に形成されており、
再封部材は、第二領域に対して着脱可能な着脱部と、第二領域に対して貼り付かない非貼着部とを備えており、
該非貼着部は、前記一方向における着脱部よりも本体部の他端部側に形成されると共に、前記一方向に対して交差する他方向に延びる凸部を前記一方向に間隔を空けて複数備えることを特徴とする包装袋。
【発明の詳細な説明】
【技術分野】
【０００１】
本発明は、シート材を用いて形成された包装袋に関する。
【背景技術】
【０００２】
従来から、食品や日用品等の物品を収容する際には、シート材（例えば、樹脂製や紙製のもの）を用いて形成された包装袋が用いられている。例えば、一対のシート材を重ね合わせて外周部同士をシールすることで形成される包装袋が知られている。
【０００３】
このような包装袋は、物品が収容された内部空間が密封された状態となるため、物品を取り出す際には、包装袋の一部を切断して開口部を形成し、該開口部から物品を取り出すことが必要となる。つまり、このような包装袋は、開口部の形成に伴って、開口部を備えると共に物品を収容する本体部と該本体部から分離される分離部とが形成される。
【０００４】
上記のような包装袋では、開口部を形成した後に、物品が収容された内部空間を再度閉塞して本体部内に残った物品を保管することが必要となる場合がある。内部空間を閉塞する方法としては、例えば、面ファスナーを用いる方法が提案されている（特許文献１参照）。具体的には、面ファスナーは、一対の面状の部材から構成され、一方の部材と他方の部材とが対峙した状態で接触することで接合するように構成されている。そして、面ファスナーを構成する一対の部材のそれぞれを包装袋の内面における開口部近傍に対向するように設置し、斯かる一対の部材を接合させた状態にすることで内部空間が再度閉塞された状態となる。逆に、面状ファスナーの一対の部材を離間した状態にすることで内部空間を開放した状態にすることができる。
【先行技術文献】
【特許文献】
【０００５】
【特許文献１】特開２００６−２１３３６６号公報
【発明の概要】
【発明が解決しようとする課題】
【０００６】
しかしながら、上記の包装袋のように、面ファスナーを構成する一対の部材が包装袋の内面における開口部近傍に備えられている場合、物品の性状によっては、内部空間を再度閉塞することが困難となったり、閉塞された状態を維持し難くなったりする場合がある。例えば、粉状の物品が包装袋に収容されている場合、開口部から粉状の物品を排出した際に、粉状の物品が面ファスナーを構成する一対の部材の対峙面に付着する場合がある。斯かる場合、一対の部材を接合させる際に、一対の部材の対峙面の間に粉状の物品が介在し、一対の部材の接合力が低下して内部空間を閉塞することが困難となったり、内部空間が閉塞された状態を維持し難くなったりする。
【０００７】
そこで、本発明は、収容される物品の性状に影響されることなく内部空間を確実に閉塞することができる包装袋を提供することを課題とする。
【課題を解決するための手段】
【０００８】
本発明に係る包装袋は、シート材が袋状に形成されてなり、物品を収容する内部空間を備える本体部を備え、該本体部における一方向の一端部に内部空間と連通する開口部が形成されるように構成された包装袋であって、前記本体部は、対向するように形成される一対の対向部を備えると共に、一方の対向部の外面に形成される第一領域と、他方の対向部の外面に形成される第二領域とを備えており、第一領域は、本体部を形成するシート材に再封部材が貼り付けられることで周囲の領域よりも厚みが厚くなるように構成されており、第二領域は、前記一方向における第一領域よりも本体部の他端部側に形成されており、再封部材は、第二領域に対して着脱可能な着脱部と、第二領域に対して貼り付かない非貼着部とを備えており、該非貼着部は、前記一方向における着脱部よりも本体部の他端部側に形成されると共に、前記一方向に対して交差する他方向に延びる凸部を前記一方向に間隔を空けて複数備えることを特徴とする。
【０００９】
斯かる構成によれば、本体部が開口部を備えるように構成されるため、該開口部によって内部空間が開放した状態となる。これにより、内部空間に収容された物品を開口部から取り出したり、該開口部から内部空間に物品を収容したりすることが可能となる。
【００１０】
そして、本体部における第一領域よりも一方向の他端側に位置する他方向に沿った第一折り返し位置で、該第一折り返し位置よりも開口部側の部位を第一領域が外側となるように折り返す。次に、第一折り返し位置よりも一方向の他端側に位置する他方向に沿った第二折り返し位置で、該第二折り返し位置よりも一方向の一端側の部位を第一領域が内側となるように折り返す。これにより、第一領域が第二領域と対峙した状態になると共に、第二折り返し位置よりも開口部側の部位が巻き回れされた状態となって内部空間が閉塞された状態となる。
【００１１】
そして、斯かる状態において、第二領域に対して着脱可能な第一領域の少なくとも一部が第二領域に貼り付けられることで、第二折り返し位置よりも開口部側の部位が巻き回れされた状態（即ち、内部空間が閉塞された状態）が維持される。また、第一領域の少なくとも一部を第二領域から離脱させることで、第二折り返し位置よりも開口部側の部位が巻き解かれるため、内部空間を再び開放することができる。
【００１２】
また、第一領域及び第二領域は、本体部の外面の一部であるため、内部空間に収容された物品を開口部から取り出す際に第一領域及び第二領域に物品が付着することがない。これにより、第一領域と第二領域とを上述のように対峙させた際に第一領域と第二領域との間に物品が介在することがなく、物品の介在によって第一領域を第二領域に貼り付け難くなって第一領域が第二領域から意図せずに離脱してしまったり、第一領域を第二領域に貼り付けることができなくなってしまったりするのを防止することができる。つまり、収容される物品の性状に影響されることなく内部空間を確実に閉塞することができる。
【００１４】
斯かる構成によれば、上述のように第一領域の少なくとも一部が第二領域に貼り付けられた状態であっても第一領域における第二領域に貼り付かない部位を指などで摘むことが可能となる。つまり、第二領域に貼り付かない摘み部が形成されるため、該摘み部を摘んで第二領域に貼り付いた第一領域の少なくとも一部を第二領域から容易に離脱させるができる。
【００１５】
前記第一領域は、第一領域の周囲よりも厚みが厚くなるように構成されると共に開口部の近傍に形成されることが好ましい。
【００１６】
斯かる構成によれば、第一領域が第一領域の周囲よりも厚みが厚くなるように構成されると共に開口部の近傍に形成されることで、第一領域の剛性がその周囲よりも高くなる。これにより、開口部の近傍に張りが生じて開口部を開口した状態にし易くなり、開口部からの物品の出し入れを容易にすることができる。
【発明の効果】
【００１７】
以上のように、本発明によれば、収容される物品の性状に影響されることなく内部空間を確実に閉塞することができるができる。
【図面の簡単な説明】
【００１８】
【図１】（ａ）は、本発明の一実施形態に係る包装袋を一方の対向部側から見た平面図、（ｂ）は、同実施形態に係る包装袋を他方の対向部側から見た平面図。
【図２】（ａ）は、同実施形態に係る包装袋に開口部を形成した状態を示す斜視図、（ｂ）は、同実施形態に係る包装袋の開口部近傍を折り返した状態を示す斜視図。
【図３】図２（ｂ）の状態から更に開口部近傍を折り返した状態を示す斜視図と一部拡大図。
【図４】図３のＸ−Ｘ断面を示した断面図。
【発明を実施するための形態】
【００１９】
以下に、本発明に係る包装袋の一実施形態について、図面に基づいて説明する。
【００２０】
本実施形態に係る包装袋１は、図１（ａ），図１（ｂ）に示すように、シート材が袋状に形成されてなるものである。具体的には、一対のシート材が重ね合わされた状態で外周部同士がシール（具体的には、ヒートシール等）されてシール部１ｃが形成されることで包装袋１が形成される。つまり、包装袋１は、物品を収容する閉塞された内部空間を備えるように構成される。
【００２１】
また、包装袋１は、物品を収容する内部空間を備える本体部２と該本体部２から分離される分離部３とから構成される。具体的には、包装袋１は、一方向の一端側に分離部３を備えると共に、一方向の他端側に本体部２を備えるように構成される。より詳しくは、包装袋１は、外周部（具体的には、シール部１ｃ）の一部に切欠部Ｃを備え、一方向に対して交差する他方向に沿って該切欠部Ｃから伸びる切断予定線Ｃ１を境に一方向の一端側が分離部３となり、一方向の他端側が本体部２となるように構成される。
【００２２】
前記本体部２は、対向するように形成される一対の対向部１ａ，１ｂを備える。本実施形態では、一方の対向部１ａは、一のシート材から形成され、他方の対向部１ｂは、他のシート材から形成される。そして、一方の対向部１ａと他方の対向部１ｂとの間（具体的には、一対の対向部１ａ，１ｂにおけるシール部１ｃに対応する部位で囲まれた領域の間）に物品を収容する内部空間が形成される。
【００２３】
また、本体部２は、一方の対向部１ａの外面（内部空間側の面と反対側の面）に形成される第一領域Ａ１の少なくとも一部が他方の対向部１ｂの外面（内部空間側の面と反対側の面）に形成される第二領域Ｂ１に対して着脱可能に構成される。
【００２４】
第一領域Ａ１は、本体部２における一方向の一端部（本実施形態では、切断予定線Ｃ１の近傍）に形成される。本実施形態では、第一領域Ａ１は、他方向に沿って帯状に形成される。具体的には、第一領域Ａ１は、他方向が長手となるように形成され、長手方向の両端部が一方の対向部１ａにおけるシール部１ｃに対応する部位と重なるように形成される。本実施形態では、第一領域Ａ１は、一方の対向部１ａを構成するシート材に第二領域Ｂ１に対して着脱可能に構成された部材（以下、一方の再封部材とも記す）Ｓ１が貼り付けられることで形成される。該再封部材Ｓ１は、帯状の形状を有し、長手方向が他方向に沿うように配置されると共に、長手方向の両端部が一方の対向部１ａにおけるシール部１ｃに対応する部位と重なるように配置される。
【００２５】
また、第一領域Ａ１は、第二領域Ｂ１に対して着脱可能に構成される着脱部Ａ２と、第二領域Ｂ１に対して貼り付かない第一非貼着部Ａ３と、一方の対向部１ａにおけるシール部１ｃに対応する領域に形成されて第二領域Ｂ１に対して貼り付かない第二非貼着部Ａ４とから構成される。
【００２６】
着脱部Ａ２は、第一領域Ａ１における一方向の一端側（具体的には、切断予定線Ｃ１側）に形成される。本実施形態では、着脱部Ａ２は、本体部２における他方向の両端部に位置するシール部１ｃの間（具体的には、第一領域Ａ１における一対の第二非貼着部Ａ４，Ａ４の間）に、他方向に沿って帯状に形成される。
【００２７】
第一非貼着部Ａ３は、第一領域Ａ１における一方向の他端側（具体的には、切断予定線Ｃ１から離れた側）に形成される。本実施形態では、第一非貼着部Ａ３は、本体部２における他方向の両端部に位置するシール部１ｃの間（具体的には、第一領域Ａ１における一対の第二非貼着部Ａ４，Ａ４の間）に、他方向に沿って帯状に形成される。また、第一非貼着部Ａ３は、凹凸を有するように形成される。具体的には、第一非貼着部Ａ３は、他方向に沿って伸びる凸部Ａ５を一方向に間隔を空けて複数備えることで、凹凸を有するように形成される。
【００２８】
本実施形態では、着脱部Ａ２及び第一非貼着部Ａ３を備える一方の再封部材Ｓ１が一方の対向部１ａを形成するシート材に貼り付けられることで、着脱部Ａ２及び第一非貼着部Ａ３が形成される。また、第二非貼着部Ａ４は、シール部１ｃの形成に伴って形成される。具体的には、一方の再封部材Ｓ１は、一方の対向部１ａを構成するシート材に貼り付けられた状態で、長手方向の両端部が該シート材におけるシール部１ｃになる領域と重なった状態となる。そして、斯かる状態でシール部１ｃが形成されることで、一方の再封部材Ｓ１の長手方向の両端部に位置する着脱部Ａ２が変性して（具体的には、後述する延出部Ｓ４が潰れた状態となって）第二領域Ｂ１に貼り付かない状態となる。これにより、第一領域Ａ１の長手方向の両端部に一対の第二非貼着部Ａ４，Ａ４が形成される。
【００２９】
第二領域Ｂ１は、本体部２における第一領域Ａ１よりも一方向の他端側に形成される。また、第二領域Ｂ１は、他方向に沿って帯状に形成される。具体的には、第二領域Ｂ１は、他方向が長手となるように形成され、長手方向の両端部が他方の対向部１ｂにおけるシール部１ｃに対応する部位と重なるように形成される。本実施形態では、第二領域Ｂ１は、他方の対向部１ｂを構成するシート材に第一領域Ａ１に対して着脱可能に構成された部材（以下、他方の再封部材とも記す）Ｓ２が貼り付けられることで形成される。該再封部材Ｓ２は、帯状の形状を有し、長手方向が他方向に沿うように配置されると共に、長手方向の両端部が他方の対向部１ｂにおけるシール部１ｃに対応する部位と重なるように配置される。
【００３０】
また、第二領域Ｂ１は、第一領域Ａ１に対して着脱可能に構成される着脱部Ｂ２と、第一領域Ａ１に対して貼り付かない第一非貼着部Ｂ３と、他方の対向部１ａにおけるシール部１ｃに対応する領域に形成されて第一領域Ａ１に対して貼り付かない第二非貼着部Ｂ４とから構成される。
【００３１】
着脱部Ｂ２は、第二領域Ｂ１における一方向の一端側（具体的には、切断予定線Ｃ１側）に形成される。本実施形態では、着脱部Ｂ２は、本体部２における他方向の両端部に位置するシール部１ｃの間（具体的には、第二領域Ｂ１における一対の第二非貼着部Ｂ４，Ｂ４の間）に、他方向に沿って帯状に形成される。
【００３２】
第一非貼着部Ｂ３は、第二領域Ｂ１における一方向の他端側（具体的には、切断予定線Ｃ１から離れた側）に形成される。本実施形態では、第一非貼着部Ｂ３は、本体部２における他方向の両端部に位置するシール部１ｃの間（具体的には、第二領域Ｂ１における一対の第二非貼着部Ｂ４，Ｂ４の間）に、他方向に沿って帯状に形成される。また、第一非貼着部Ｂ３は、凹凸を有するように形成される。具体的には、第一非貼着部Ｂ３は、他方向に沿って伸びる凸部Ｂ５を一方向に間隔を空けて複数備えることで、凹凸を有するように形成される。
【００３３】
本実施形態では、着脱部Ｂ２及び第一非貼着部Ｂ３を備える他方の再封部材Ｓ２が他方の対向部１ｂを形成するシート材に貼り付けられることで、着脱部Ｂ２及び第一非貼着部Ｂ３が形成される。また、第二非貼着部Ｂ４は、シール部１ｃの形成に伴って形成される。具体的には、他方の再封部材Ｓ２は、他方の対向部１ｂを構成するシート材に貼り付けられた状態で、長手方向の両端部が該シート材におけるシール部１ｃになる領域と重なった状態となる。そして、斯かる状態でシール部１ｃが形成されることで、他方の再封部材Ｓ２の長手方向の両端部に位置する着脱部Ａ２が変性して（具体的には、後述する延出部Ｓ４が潰れた状態となって）第一領域Ａ１に貼り付かない状態となる。これにより、第二領域Ｂ１の長手方向の両端部に一対の第二非貼着部Ｂ４が形成される。
【００３４】
次に、上記のように構成される包装袋１の使用方法について説明する。まず始めに、物品が収容された状態の包装袋１を開封する際には、包装袋１を切断して分離部３を本体部２から分離する。具体的には、切欠部Ｃを切っ掛けに切断予定線Ｃ１上で包装袋１を切断することで本体部２から分離部３を分離する。これにより、図２（ａ）に示すように、本体部２に開口部２ａが形成され、本体部２の内部空間が開放した状態となる。
【００３５】
そして、開放した内部空間を閉塞した状態にする際には、本体部２における第一領域Ａ１よりも一方向の他端側に位置する他方向に沿った第一折り返し位置Ｌ１で、該第一折り返し位置Ｌ１よりも開口部２ａ側の部位を、図２（ｂ）に示すように、第一領域Ａ１が外側となるように折り返す。次に、第一折り返し位置Ｌ１よりも一方向の他端側に位置する他方向に沿った第二折り返し位置Ｌ２で、該第二折り返し位置Ｌ２よりも一方向の一端側の部位を、図３に示すように、第一領域Ａ１が内側となるように折り返す。
【００３６】
これにより、第一領域Ａ１が第二領域Ｂ１と対峙した状態となる。これにより、第二折り返し位置よりも開口部２ａ側の部位が巻き回れされた状態となって内部空間が閉塞された状態となる。この際、第一領域Ａ１の第二非貼着部Ａ４は、第二領域Ｂ１の第二非貼着部Ｂ４に貼り付くことがないと共に、図４に示すように、第一領域Ａ１の少なくとも一部（具体的には、着脱部Ａ２）が第二領域Ｂ１（具体的には、着脱部Ｂ２）に着脱可能に貼り付けられる。
【００３７】
本実施形態では、一方の再封部材Ｓ１及び他方の再封部材Ｓ２のそれぞれは、シート材に貼り付けられる基材部Ｓ３と、第一領域Ａ１と第二領域Ｂ１とが対峙する方向に向かって各基材部Ｓ３から延出する複数の延出部Ｓ４とを備える。該延出部Ｓ４は、基材部Ｓ３から延出する軸部Ｓ５と、該軸部Ｓ５の延出方向に対して交差する方向に軸部Ｓ５から突出する突出部Ｓ６とから構成される。そして、第一領域Ａ１と第二領域Ｂ１とが対峙した状態で、一方の再封部材Ｓ１の各延出部Ｓ４が他方の再封部材Ｓ２の各延出部Ｓ４の間に配置されることで、一方の再封部材Ｓ１の各延出部Ｓ４における突出部Ｓ６と他方の再封部材Ｓ２の各延出部Ｓ４における突出部Ｓ６とが第一領域Ａ１と第二領域Ｂ１との対峙方向において係合する。これにより、第一領域Ａ１が第二領域Ｂ１に貼り付けられた状態が保持される。
【００３８】
また、第一領域Ａ１の第一非貼着部Ａ３は、第二領域Ｂ１（具体的には、第一非貼着部Ｂ３）に対して貼り付かないように構成される。これにより、内部空間が閉塞された状態において、第一非貼着部Ａ３を備える部位（具体的には、第一折り返し部Ｌ１で折り返されて形成される端部）に、指などで摘むことが可能な摘み部Ｄが形成される。そして、第一領域Ａ１の着脱部Ａ２が第二領域Ｂ１の着脱部Ｂ２から離間する方向に、摘み部Ｄを引っ張ることで、一方の再封部材Ｓ１の各延出部Ｓ４と他方の再封部材Ｓ２の各延出部Ｓ４との係合が解かれ、第一領域Ａ１の着脱部Ａ２が第二領域Ｂ１の着脱部Ｂ２から離脱する。これにより、第二折り返し位置Ｌ２よりも開口部２ａ側の部位が巻き解かれるため、内部空間が開放される。
【００３９】
以上のように、本発明に係る包装袋によれば、収容される物品の性状に影響されることなく内部空間を確実に閉塞することができる。
【００４０】
即ち、本体部２が開口部２ａを備えるように構成されるため、該開口部２ａによって内部空間が開放した状態となる。これにより、内部空間に収容された物品を開口部２ａから取り出したり、該開口部２ａから内部空間に物品を収容したりすることが可能となる。
【００４１】
そして、本体部２における第一領域Ａ１よりも一方向の他端側に位置する他方向に沿った第一折り返し位置Ｌ１で、該第一折り返し位置Ｌ１よりも開口部２ａ側の部位を第一領域Ａ１が外側となるように折り返す。次に、第一折り返し位置Ｌ１よりも一方向の他端側に位置する他方向に沿った第二折り返し位置Ｌ２で、該第二折り返し位置Ｌ２よりも一方向の一端側の部位を第一領域Ａ１が内側となるように折り返す。これにより、第一領域Ａ１が第二領域Ｂ１と対峙した状態になると共に、第二折り返し位置Ｌ２よりも開口部２ａ側の部位が巻き回れされた状態となって内部空間が閉塞された状態となる。
【００４２】
そして、斯かる状態において、第二領域Ｂ１に対して着脱可能な第一領域Ａ１の少なくとも一部が第二領域Ｂ１に貼り付けられることで、第二折り返し位置Ｌ２よりも開口部２ａ側の部位が巻き回れされた状態（即ち、内部空間が閉塞された状態）が維持される。また、第一領域Ａ１の少なくとも一部を第二領域Ｂ１から離脱させることで、第二折り返し位置Ｌ２よりも開口部２ａ側の部位が巻き解かれるため、内部空間を再び開放することができる。
【００４３】
また、第一領域Ａ１及び第二領域Ｂ１は、本体部２の外面の一部であるため、内部空間に収容された物品を開口部２ａから取り出す際に第一領域Ａ１及び第二領域Ｂ１に物品が付着することがない。これにより、第一領域Ａ１と第二領域Ｂ１とを上述のように対峙させた際に第一領域Ａ１と第二領域Ｂ１との間に物品が介在することがなく、物品の介在によって第一領域Ａ１を第二領域Ｂ１に貼り付け難くなって第一領域Ａ１が第二領域Ｂ１から意図せずに離脱してしまったり、第一領域Ａ１を第二領域Ｂ１に貼り付けることができなくなってしまったりするのを防止することができる。つまり、収容される物品の性状に影響されることなく内部空間を確実に閉塞することができる。
【００４４】
また、上述のように第一領域Ａ１の少なくとも一部が第二領域Ｂ１に貼り付けられた状態であっても摘み部Ｄを摘んで第二領域Ｂ１に貼り付いた第一領域Ａ１の少なくとも一部を第二領域Ｂ１から容易に離脱させるができる。
【００４５】
また、再封部材Ｓ１が開口部２ａの近傍に貼り付けられて第一領域Ａ１が形成されるため、第一領域Ａ１は、第一領域Ａ１の周囲よりも厚みが厚くなるように構成される。これにより、第一領域Ａ１の剛性がその周囲よりも高くなるため、開口部２ａの近傍に張りが生じて開口部２ａを開口した状態にし易くなり、開口部２ａからの物品の出し入れを容易にすることができる。
【００４６】
なお、本発明に係る包装袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４７】
例えば、上記実施形態では、包装袋１は、本体部２から分離部３が分離されることで、開口部２ａが形成されるように構成されているが、これに限定されるものではなく、例えば、分離部３を備えないように構成されてもよい。具体的には、開口部２ａが形成された本体部２のみから包装袋が形成されてもよい。又は、包装袋１のようなシール部１ｃを外周に備える包装袋において、シール部１ｃを部分的に剥離することで、開口部が形成されるように構成されてもよい。
【００４８】
また、上記実施形態では、第一領域Ａ１は、包装袋１の他方向の略全域に渡って連続的に形成されているが、これに限定されるものではなく、例えば、包装袋１の他方向の端部間に部分的に一つ、又は、複数形成されてもよい。また、着脱部Ａ２，Ｂ２は、包装袋１の他方向に沿って連続的に形成されているが、これに限定されるものではなく、例えば、包装袋１の他方向の端部間に部分的に一つ、又は、複数形成されてもよい。
【００４９】
また、上記実施形態では、一対のシート材が対峙するように配置されて包装袋１が構成されているが、これに限定されるものではなく、例えば、筒状に形成されたシート材の軸線方向の両端部が閉塞されて包装袋が形成されてもよい。斯かる場合には、該包装袋における筒状となる部分の軸線を中心とする対称位置を含む部位が一対の対向部となる。
【００５０】
また、上記実施形態では、第一領域Ａ１及び第二領域Ｂ１が一対の再封部材Ｓ１，Ｓ２から構成されているが、これに限定されるものではなく、例えば、第一領域Ａ１が自己吸着性を有するテープから構成され、第二領域Ｂ１（具体的には、他方の対向部１ｂを構成するシート材自体）に対して着脱可能に吸着するように構成されてもよい。又は、第一領域Ａ１が弱粘着性のテープから構成され、第二領域Ｂ１（具体的には、他方の対向部１ｂを構成するシート材自体）に対して着脱可能に貼り付けられるように構成されてもよい。
【００５１】
また、上記実施形態では、本体部２を構成するシート材に一対の再封部材Ｓ１，Ｓ２が貼り付けられることで、第一領域Ａ１及び第二領域Ｂ１が形成されているが、これに限定されるものではなく、例えば、一方の対向部１ａを構成するシート材の一部が第二領域Ｂ１に対して着脱可能に構成された他のシート材から構成されてもよい。また、他方の対向部１ｂを構成するシート材の一部が第一領域Ａ１に対して着脱可能に構成された他のシート材から構成されてもよい。
【００５２】
また、上記実施形態では、一対の再封部材Ｓ１，Ｓ２がそれぞれ同一形状の延出部Ｓ４を備え、該延出部Ｓ４同士が係合するように構成されているが、これに限定されるものではなく、例えば、一対の再封部材Ｓ１，Ｓ２が一般的な面ファスナーから構成されてもよい。斯かる面ファスナーは、一方の再封部材の延出部が鉤状の形状を有し、他方の再封部材の延出部が環状の形状を有するように構成されており、一方の再封部材の鉤状の延出部が他方の再封部材の環状の延出部に掛止される（引っかかる）ことで第一領域Ａ１が第二領域Ｂ１に貼り付けられた状態が維持される。
【符号の説明】
【００５３】
１…包装袋、１ａ，１ｂ…対向部、１ｃ…シール部、２…本体部、２ａ…開口部、３…分離部、Ａ１…第一領域、Ａ２，Ｂ２…着脱部、Ａ３，Ｂ３…第一非貼着部、Ａ４，Ｂ４…第二非貼着部、Ａ５，Ｂ５…凸部、Ｂ１…第二領域、Ｃ…切欠部、Ｃ１…切断予定線、Ｄ…摘み部、Ｌ１…第一折り返し位置、Ｌ２…第二折り返し位置、Ｓ１，Ｓ２…再封部材
【図１】
0006410518.tif 000002
【図２】
0006410518.tif 000003
【図３】
0006410518.tif 000004
【図４】
0006410518.tif 000005